(57)【要約】【課題】用紙の装着および取り出しが容易であると共に、紙詰まりした用紙を容易に取り除くことができる発券装置を得る。【解決手段】用紙排出部が、用紙排出枠体と、該用紙排出枠体に取り付けられ前記用紙を送るための用紙送りローラと、該用紙送りローラに前記用紙を圧接するための用紙押さえローラとを有し、前記用紙押さえローラは、前記用紙排出枠体に回動可能に取り付けられた用紙押さえ枠体に回転自在に取り付けられ、該用紙押さえ枠体を回動させることにより前記用紙押さえローラを前記用紙送りローラに対して圧接および離間するように構成する。【選択図】        図１０
2004264978.tif 000002
【特許請求の範囲】
【請求項１】
用紙に文字および記号等を印字するための印字部と、該印字部によって印字された前記用紙を適宜の位置で切断するための用紙切断部と、該用紙切断部により切断された前記用紙を外部に送出する用紙排出部とにより構成される発券装置において、前記用紙排出部は、用紙排出枠体と、該用紙排出枠体に取り付けられ前記用紙を送るための用紙送りローラと、該用紙送りローラに前記用紙を圧接するための用紙押さえローラとを有し、前記用紙押さえローラは、前記用紙排出枠体に回動可能に取り付けられた用紙押さえ枠体に回転自在に取り付けられ、該用紙押さえ枠体は前記用紙押さえローラを前記用紙送りローラに対して圧接および離間するように構成されていることを特徴とする発券装置。
【請求項２】
前記印字部は印字ヘッドとプラテンとを有しており、前記印字ヘッドは前記用紙排出枠体に取り付けられ、前記プラテンは前記用紙押さえ枠体に取り付けられていると共に、前記用紙切断部は固定刃と可動刃とを有しており、前記固定刃は前記用紙押さえ枠体に取り付けられ、前記可動刃は前記用紙排出枠体に取り付けられていることを特徴とする請求項１記載の発券装置。
【請求項３】
前記用紙押さえ枠体には前記用紙の下面を案内するための第１用紙案内部材と第３用紙案内部材が設けられ、前記用紙排出枠体には前記用紙の上面を案内するための第２用紙案内部材が設けられていることを特徴とする請求項２記載の発券装置。
【請求項４】
前記用紙排出枠体と前記用紙押さえ枠体とは、前記用紙送りローラと前記用紙押さえローラとの圧接している部分に近接して用紙排出口を形成し、前記用紙押さえ枠体を前記用紙排出枠体に対して回動させて、前記用紙押さえローラを前記用紙送りローラから離間させることにより前記用紙排出口を大きく開口させるように構成されていることを特徴とする請求項１記載の発券装置。
【請求項５】
前記用紙押さえローラを前記用紙送りローラに圧接した状態に維持するように前記用紙押さえ枠体を係止するための用紙押さえ枠体係止部材を有することを特徴とする請求項２記載の発券装置。
【請求項６】
前記用紙押さえ枠体の急速な盲動を摩擦力によって抑えるための用紙抑え枠体ブレーキ部材を有することを特徴とする請求項１記載の発券装置。
【発明の詳細な説明】
【０００１】
【発明の属する技術分野】
本発明は、駅、コンビニエンスストア、遊技場等で用いられるチケット、有価券、情報印字シート等を印字して発券するための、印字機構および用紙排出機構を組み合わせて構成した発券装置に関する。
【０００２】
【従来の技術】
従来の発券装置は、印字機構によって印字されたチケット等を用紙排出口から取出しするに際して、チケット等が印字動作中に取出動作を妨げられたり無理に引き出されることによる装置の乱れおよび故障等を防ぐために、印字機構によって印字された用紙は一旦用紙収納部に蓄えて、印字動作が終了してから印字された部分の用紙を切り離してから用紙排出口から排出するように構成されている。
【０００３】
上述したような従来例は特開平７−７６４４６号公報に開示されている。図１２、図１３、図１４を用いて、従来例として特開平７−７６４４６号公報における発券装置について説明する。
【０００４】
図１２は、上記従来例における用紙排出部７００が用紙６０３を貯めている状態を示す断面図である。図１３は、用紙排出部７００に用紙６０３が貯まった状態を示す断面図である。図１４は、用紙排出部７００が用紙６０３を排出する状態を示す断面図である。
【０００５】
図１２において、用紙６０３が用紙送りローラ７０４によって送られながら印字部８００によって印字されていき、用紙６０３の前端６０３ａが用紙検出手段７１１によって検出されると用紙送りローラ７０４が停止するが、印字部８００による印字動作および紙送り動作はそのまま続行する。従って、用紙６０３は、用紙収容部７２１の内部でたるみながらたまっていく。
【０００６】
図１３において、印字部８００の用紙６０３に対する印字動作が終了すると、用紙切断部９００のカッタ刃によって用紙６０３を切断する。
【０００７】
図１４において、用紙切断部９００のカッタ刃が用紙６０３を切断すると、用紙排出部７００の用紙送りローラ７０４は回転して用紙排出口７００ａから用紙６０３を排出し、用紙検出手段７１１が用紙６０３を検出しなくなると停止する。然るに、用紙６０３は、用紙収容部７２１の内部でたるみながらたまっているので、たるみ方によっては用紙送りローラ７０４に詰まってしまう場合がある。特に、用紙６０３は用紙収容部７２１の内部で重力に逆らって上方にたるむので、たるんだ部分が重力によって下方に折れ曲がり紙詰まりを起こす原因となることがある。
【０００８】
【発明が解決しようとする課題】
上述のように、従来の発券装置は、印字部と用紙排出口との間において用紙にたるみ部分を設けるため、用紙排出口に近接して設けられている用紙送りローラと印字部との間隔が大きく設定されていること、用紙６０３が用紙収容部７２１の内部で重力に逆らって上方にたるむこと、および、用紙のたるみ部分は用紙の紙質や湿度の影響を受けやすく不安定であることが紙詰まりの大きな要因となっていた。紙詰まりが発生した場合には、用紙６０３の走行方向の側方かピンセット等を用いて取り除く必要があり困難であった。また、用紙６０３を装填する場合には、用紙保持部６００の方向から印字部８００、用紙切断部９００、用紙排出部７００の順に用紙６０３を走行させながら行う必要が有り手間がかかるものであった。
【０００９】
本発明の目的は、用紙の装填および取り出しの作業を容易にし、紙詰まりが発生した場合に、詰まった用紙を容易に除去することのできる発券装置を提供しようとするものである。
【００１０】
【課題を解決するための手段】
上記目的を達成するために、本発明においては、用紙に文字および記号等を印字するための印字部と、該印字部によって印字された前記用紙を適宜の位置で切断するための用紙切断部と、該用紙切断部により切断された前記用紙を外部に送出する用紙排出部とにより構成される発券装置において、前記用紙排出部は、用紙排出枠体と、該用紙排出枠体に取り付けられ前記用紙を送るための用紙送りローラと、該用紙送りローラに前記用紙を圧接するための用紙押さえローラとを有し、前記用紙押さえローラは、前記用紙排出枠体に回動可能に取り付けられた用紙押さえ枠体に回転自在に取り付けられ、該用紙押さえ枠体を回動させることにより前記用紙押さえローラを前記用紙送りローラに対して圧接および離間するように構成されていることを特徴とするものである。
【００１１】
また、前記印字部は印字ヘッドとプラテンとを有しており、前記印字ヘッドは前記用紙排出枠体に取り付けられており、前記プラテンは前記用紙押さえ枠体に取り付けられていると共に、前記用紙切断部は固定刃と可動刃とを有しており、前記固定刃は前記用紙押さえ枠体に取り付けられており、前記可動刃は前記用紙排出枠体に取り付けられていることを特徴とするものである。
【００１２】
また、前記用紙押さえ枠体には前記用紙の下面を案内するための第１用紙案内部材と第３用紙案内部材が設けられ、前記用紙排出枠体には前記用紙の上面を案内するための第２用紙案内部材が設けられていることを特徴とするものである。
【００１３】
また、前記用紙排出枠体と前記用紙押さえ枠体とは、前記用紙送りローラと前記用紙押さえローラとの圧接している部分に近接して用紙排出口を形成し、前記用紙押さえ枠体を前記用紙排出枠体に対して回動させて、前記用紙押さえローラを前記用紙送りローラから離間させることにより前記用紙排出口を大きく開口させるように構成されていることを特徴とするものである。
【００１４】
また、前記用紙押さえローラを前記用紙送りローラに圧接した状態に維持するように前記用紙押さえ枠体を係止するための用紙押さえ枠体係止部材を有することを特徴とするものである。
【００１５】
また、前記用紙押さえ枠体の急速な盲動を摩擦力によって抑えるための用紙抑え枠体ブレーキ部材を有することを特徴とするものである。
【００１６】
【発明の実施の形態】
以下発明の実施の形態を実施例に基づき図面を参照して説明する。図１は、本発明に係る一実施例における発券装置の待機状態を示す主要正面図である。図２は、図１における発券装置から用紙保持部１００を省略した状態を示す正面図である。図３は、印字部３００が印字動作を開始して、プラテン３０１が用紙１０３を送り、用紙１０３の用紙前端部１０３ａが用紙送りローラ２０４と用紙押さえローラ２０７に噛みこまれた状態を示す動作説明図である。図４は、印字部３００が印字動作を続行して、プラテン３０１が用紙１０３を送り、用紙１０３がたるんでいる状態を示す動作説明図である。図５は、印字部３００が印字動作を終了して、用紙切断部４００が用紙１０３を切断した状態を示す動作説明図である。図６は、切断された用紙１０３を用紙送りローラ２０４が用紙排出口２００ａから排出した状態を示す動作説明図である。図７は、用紙送りローラ２０４が用紙排出口２００ａから排出した用紙１０３が一定時間内に取り去られなかった場合に、その用紙１０３を用紙送りローラ２０４が送り戻して回収する状態を示す動作説明図である。図８は、用紙送りローラ２０４が用紙１０３を送り戻して回収した状態を示す動作説明図である。図９は、プラテン３０１が用紙１０３を送る際に、用紙１０３が詰まった状態を示す動作説明図である。図１０は、第３用紙案内部材２１２等に詰まった用紙１０３を除去するために用紙押さえ枠体２０６を開いた状態を示す動作説明図である。図１１は、用紙押さえ枠体２０６を開いて用紙１０３を装填する状態を示す動作説明図である。
【００１７】
図１を用いて、本発明に係る一実施例における発券装置について説明する。用紙保持部１００は、用紙保持枠体１０１と、用紙保持枠体１０１とに回転自在に取り付けられている用紙保持軸１０２とにより構成され、用紙保持軸１０２にはロール状に巻かれた用紙１０３が装着され保持されてている。用紙保持部１００に保持されている用紙１０３は印字部３００に供給され、印字部３００において印字された用紙１０３は、用紙切断部４００を通過して用紙排出部２００に送り込まれるように構成されている。用紙排出部２００には用紙排出口２００ａが構成されており、第１用紙排出枠体２０１には、用紙押さえ枠体２０６が第２用紙排出枠体２０２に対して、用紙排出口２００ａが開閉可能となるように用紙押さえ枠体軸２０５によって回動可能に取り付けられている。用紙押さえ枠体２０６を第２用紙排出枠体２０２に対して動かして用紙排出口２００ａを開く場合には、用紙押さえ枠体開放部材２１４を手指によって操作して、用紙押さえ枠体開放部材２１４に一体的に固着されている用紙押さえ枠体係止部材２１３を用紙押さえ枠体係合ピン２０９から外すことにより、用紙押さえ枠体２０６を第２用紙排出枠体２０２に対して動かして用紙排出口２００ａを開くことができるように構成されている。また、発券装置には、用紙排出部２００、印字部３００、および用紙切断部４００の動作を制御するための図示せぬ制御回路が組み込まれている。
【００１８】
図２を用いて、図１に示す発券装置の構成について更に説明する。第１用紙排出枠体２０１には、第２用紙排出枠体２０２が取り付けられていると共に、第２用紙排出枠体２０２に対して用紙排出口２００ａが開閉可能となるように、用紙押さえ枠体２０６が用紙押さえ枠体軸２０５によって回動可能に取り付けられている。また、第１用紙排出枠体２０１には、用紙１０３に印字するための印字部３００、および印字された用紙１０３を任意の位置で切断するための用紙切断部４００が取り付けられている。
【００１９】
印字部３００は、印字機能を有する印字ヘッド３０２と、印字ヘッド３０２が用紙１０３に密着するように用紙１０３を保持すると共に用紙１０３を送るためのプラテン３０１とを有しているが、印字ヘッド３０２は第２用紙排出枠体２０２に取り付けられており、プラテン３０１は用紙押さえ枠体２０６に取り付けられている。また、用紙切断部４００は、用紙１０３を剪断するように構成された固定刃４０１と可動刃４０２とを有しているが、固定刃４０１は用紙押さえ枠体２０６に取り付けられている。可動刃４０２は第２用紙排出枠体２０２に取り付けられている。
【００２０】
図２は、用紙押さえ枠体２０６が第２用紙排出枠体２０２に近接している状態であり、プラテン３０１は印字ヘッド３０２に用紙１０３を押圧しており、用紙１０３は用紙切断部４００によって切断された状態となっており、切断された用紙１０３の用紙前端部１０３ａは用紙切断部４００の近傍にある。
【００２１】
第１用紙排出枠体２０１には、更に下記のような用紙排出部２００の部材が取り付けられている。即ち、第１用紙排出枠体２０１には、用紙押さえ枠体２０６が回動する際に急速な盲動をしないように摩擦抵抗を付与するための用紙押さえ枠体ブレーキ部材２１６が固着されており、用紙押さえ枠体２０６を、用紙排出口２００ａが閉じる位置に保持するための用紙押さえ枠体係止部材２１３が回動可能に取り付けられており、枠体係止部材２１３には、手指によって枠体係止部材２１３を操作するための用紙押さえ枠体開放部材２１４が固着されている。また、枠体係止部材２１３は枠体係止部材ばね２１５によって反時計方向に付勢されている。また、用紙押さえ枠体２０６が第２用紙排出枠体２０２に対して用紙排出口２００ａを開いたときに、その位置を決めて維持するための用紙押さえ枠体停止突起２０１ａが形成されている。
【００２２】
第２用紙排出枠体２０２には、後述する第１用紙案内部材２１０から第３用紙案内部材２１２へ用紙１０３の上面を案内するための第２用紙案内部材２１１が設けられている。また、用紙１０３を用紙排出口２００ａから排出、および排出した用紙１０３を引き戻すように送るための用紙送りローラ２０４が用紙送りローラ軸２０３によって回転可能に取り付けられており、用紙送りローラ軸２０３には、用紙送りローラ２０４を回転駆動するための図示せぬ紙送りモータが、一定の値以上の負荷トルクがかかった場合にはその負荷を前記紙送りモータに掛けないための図示せぬトルクリミッタを介して連結されている。また、用紙１０３が用紙送りローラ２０４の近傍に存在することを検出するための用紙検出部材２０８が設けられている。なお、前記紙送りモータおよび用紙検出部材２０８は図示せぬ制御回路に接続されている。
【００２３】
用紙押さえ枠体２０６には、用紙１０３を用紙送りローラ２０４に圧接するための用紙押さえローラ２０７が回転自在に取り付けられており、また、用紙押さえ枠体２０６には、用紙押さえローラ２０７を用紙送りローラ２０４に圧接する位置に保持するために、用紙押さえ枠体係止部材２１３に係合する用紙押さえ枠体係合ピン２０９が植立されている。更に、用紙押さえ枠体２０６には、印字部３００によって印字され送り出されてきた用紙１０３の下面を、用紙送りローラ２０４まで案内するための第１用紙案内部材２１０と第３用紙案内部材２１２が設けられている。第３用紙案内部材２１２は、一旦、用紙排出口２００ａから排出された用紙１０３を引き戻して回収するときに、用紙１０３を案内するように構成されている。
【００２４】
図３を用いて、印字部３００が印字動作を開始して、プラテン３０１が用紙１０３を送り、用紙前端部１０３ａが用紙送りローラ２０４と用紙押さえローラ２０７との間に噛みこまれるまでの状態について説明する。なお、図３では用紙１０３、および用紙１０３を案内するための第１用紙案内部材２１０、第２用紙案内部材２１１、および第３用紙案内部材２１２の構造が理解しやすいように、用紙押さえ枠体２０６の一部を破断して示している。制御回路によって制御されて印字部３００が印字動作を開始すると、プラテン３０１が反時計方向に回転して用紙１０３を矢印ａの方向に用紙送りローラ２０４に向けて送りだす。同時に制御回路は図示せぬ紙送りモータを回転させて、用紙送りローラ２０４を時計方向に回転させる。送られてきた用紙前端部１０３ａが用紙検出部材２０８の検出範囲にはいると、用紙検出部材２０８は用紙１０３があることを検知し図示せぬ制御回路に対して「用紙有り」の信号を出す。制御回路は「用紙有り」の信号を受け取ると、その時点から、用紙前端部１０３ａが用紙送りローラ２０４と用紙押さえローラ２０７との間に噛みこまれるに充分な回転量を回転させて停止させる。
【００２５】
図４を用いて、用紙１０３がたるんでいく状態について説明する。印字部３００が印字動作を更に続行して、プラテン３０１が用紙１０３を送り続けると、用紙前端部１０３ａが用紙送りローラ２０４と用紙押さえローラ２０７との間に噛みこまれているので、用紙１０３はたるみ、第１用紙案内部材２１０と第３用紙案内部材２１２との間から下方に垂れ下がる。このように、用紙１０３は下方にたるむので紙詰まりを起こしにくくなっている。
【００２６】
図５を用いて、印字部３００が印字動作を終了して用紙切断部４００が用紙１０３を切断する状態について説明する。印字部３００の印字動作状態が終了すると、図示せぬ制御回路は用紙切断部４００に指令して用紙１０３を切断する。切断された用紙１０３は、用紙前端部１０３ａが用紙送りローラ２０４と用紙押さえローラ２０７との間に噛みこまれたまま、用紙後端部１０３ｂは下方に垂れ下がる。
【００２７】
図６を用いて、用紙送りローラ２０４が切断された用紙１０３を用紙排出口２００ａから排出して停止するまでの状態について説明する。図示せぬ制御回路によって制御されて用紙切断部４００が用紙１０３を切断すると、続いて、用紙送りローラ２０４を時計方向に回転させて、用紙１０３を矢印ｂの方向に送り用紙排出口２００ａから排出する。用紙後端部１０３ｂが用紙検出部材２０８の検出範囲から外れて用紙検出部材２０８が用紙１０３が検出されなくなると、用紙検出部材２０８は、用紙１０３がなくなったことを検知して図示せぬ制御回路に対して「用紙無し」の信号を出す。制御回路は「用紙無し」の信号を受け取ると、用紙送りローラ２０４を停止し、直ちに用紙送りローラ２０４を反時計方向に回転させる。用紙後端部１０３ｂが用紙検出部材２０８の検出範囲にはいり、用紙検出部材２０８が用紙１０３を検出すると、用紙検出部材２０８は用紙１０３が有ることを検知し、図示せぬ制御回路に対して「用紙有り」の信号を出して用紙送りローラ２０４を停止させる。
【００２８】
図７を用いて、用紙排出口２００ａから排出された用紙１０３が一定時間内に取り去られなかった場合に、その用紙１０３を用紙送りローラ２０４が送り戻す状態について説明する。用紙排出口２００ａから排出された用紙１０３が、用紙送りローラ２０４が停止してから所定の時間内に取り去られなかった場合には、図示せぬ制御回路は用紙送りローラ２０４を反時計方向に回転させて、用紙１０３を矢印ｃの方向に送り回収する。
【００２９】
図８を用いて、用紙送りローラ２０４が用紙１０３を送り戻して回収した状態について説明する。用紙１０３が矢印ｃの方向に送られて、用紙前端部１０３ａが用紙送りローラ２０４と用紙押さえローラ２０７との挟持状態から離れ、用紙検出部材２０８の検出範囲から外れて用紙検出部材２０８が用紙１０３が検出されなくなると、用紙検出部材２０８は、用紙１０３がなくなったことを検知して図示せぬ制御回路に対して「用紙無し」の信号を出す。制御回路は「用紙無し」の信号を受け取ると、用紙送りローラ２０４を停止させる。用紙送りローラ２０４と用紙押さえローラ２０７との挟持状態から離れた用紙１０３は下方に落下する。
【００３０】
このようにして、一旦、用紙排出口２００ａから送り出した用紙１０３を回収する理由は、用紙排出口２００ａから送り出されてた用紙１０３が操作者によって取り去られなかった場合に、この用紙１０３が第３者に取られることによって用紙１０３に印字されている個人的な情報が第３者に漏れることを防ぐためである。また、印字された用紙１０３が金券であった場合に、この金券を第３者に持ち去られることによる操作者の損害を防止するためである。
【００３１】
図９を用いて、プラテン３０１が用紙１０３を送る際に用紙１０３が詰まった状態について説明する。用紙排出部２００の構造は、用紙前端部１０３ａが用紙送りローラ２０４と用紙押さえローラ２０７との間に噛みこまれている状態で、印字部３００が印字動作を行ってプラテン３０１が用紙１０３を送り続けた場合、前述したようにして、用紙１０３は第１用紙案内部材２１０と第３用紙案内部材２１２との間から下方に垂れ下がるように構成されているが、第２用紙案内部材２１１、第３用紙案内部材２１２等、用紙１０３を案内する部材に結露があった場合、あるいは、用紙１０３が静電気に帯電している場合には、図９に示すように用紙１０３が詰まってしまう場合がある。このように用紙１０３が詰まった状態で用紙排出部２００から用紙１０３を排出しようとして図示せぬ紙送りモータが用紙送りローラ２０４を回転駆動しようとした場合においても、該紙送りモータと用紙送りローラ２０４との間に図示せぬトルクリミッタを介在させているので、該紙送りモータには過負荷がかかることはない。
【００３２】
第３用紙案内部材２１２等に用紙１０３が詰まってしまった場合には、用紙押さえ枠体２０６を第２用紙排出枠体２０２から離間させて、用紙送りローラ２０４と用紙押さえローラ２０７との間を開いて用紙１０３を取り除くことができる。用紙押さえ枠体２０６を第２用紙排出枠体２０２から離間させるには、用紙押さえ枠体開放部材２１４を手指で押圧力Ｆで操作して矢印ｄの方向に回転させて、用紙押さえ枠体係止部材２１３を用紙押さえ枠体係合ピン２０９から外す。
【００３３】
図１０を用いて、第３用紙案内部材２１２等に詰まった用紙ジャミング部１０３ｃを除去するために用紙押さえ枠体２０６を開いて、用紙ジャミング部１０３ｃを除去する状態について説明する。用紙押さえ枠体開放部材２１４を操作して用紙押さえ枠体係止部材２１３を用紙押さえ枠体係合ピン２０９から外すと、用紙押さえ枠体２０６は自重によって用紙押さえ枠体軸２０５を中心として矢印ｅの方向に回動し、用紙押さえ枠体停止突起２０１ａに当接して停止する。用紙押さえ枠体２０６の回動に際しては用紙押さえ枠体２０６には用紙押さえ枠体ブレーキ部材２１６の摩擦力が加えられてブレーキがかかっているので、急速に落下することなくゆっくりと回動する。従って、手指等に怪我を受けることはない。用紙押さえ枠体２０６を第２用紙排出枠体２０２に近接させて、用紙押さえローラ２０７を用紙送りローラ２０４に圧接するには、手指によって用紙押さえ枠体２０６を矢印ｅと逆の方向に回動させて、用紙押さえ枠体係合ピン２０９を用紙押さえ枠体係止部材２１３に係合させる。このように、用紙押さえ枠体２０６を第２用紙排出枠体２０２から大きく離間させることができるので、用紙ジャミング部１０３ｃを容易に取り除くことができる。
【００３４】
図１１を用いて、用紙押さえ枠体２０６を第２用紙排出枠体２０２から開いて、用紙１０３を装填する状態について説明する。前述と同様にして、用紙押さえ枠体開放部材２１４を操作して用紙押さえ枠体係止部材２１３を用紙押さえ枠体係合ピン２０９から外し、用紙押さえ枠体２０６を用紙押さえ枠体停止突起２０１ａに当接した位置に停止させる。この状態で、第２用紙排出枠体２０２に取り付けられている印字ヘッド３０２、可動刃４０２、第２用紙案内部材２１１、および用紙送りローラ２０４と、用紙押さえ枠体２０６に取り付けられているプラテン３０１、固定刃４０１、第１用紙案内部材２１０、第３用紙案内部材２１２、および用紙押さえローラ２０７との間に用紙１０３を図１１の紙面に垂直の方向から挿入して図１１に示す状態にする。その後、前述と同様にして手指によって用紙押さえ枠体２０６を矢印ｆの方向に回動させて、用紙押さえ枠体係合ピン２０９を用紙押さえ枠体係止部材２１３に係合させる。このように、用紙押さえ枠体２０６を第２用紙排出枠体２０２から大きく離間させることができるので、用紙１０３を容易に装填することができる。
【００３５】
このように用紙押さえ枠体２０６が第２用紙排出枠体２０２から大きく離間することにより、用紙押さえローラ２０７が用紙送りローラ２０４から大きく離間すると共に、プラテン３０１が印字ヘッド３０２から大きく離間し、固定刃４０１が可動刃４０２から大きく離間し、併せて、用紙１０３の下面を案内するための第１用紙案内部材２１０と第３用紙案内部材２１２が用紙１０３の上面を案内するための第２用紙案内部材２１１から大きく離間するので、第３用紙案内部材２１２等に詰まった用紙１０３ｃは容易に除去することができる。更に、用紙１０３を図１０の紙面に対して垂直の方向から用紙１０３を装填および取り出すことができ、従来例のように、用紙６０３の装填および取り出しを、用紙６０３の走行方向から行う場合と比較して作業が容易である。
【００３６】
【発明の効果】
上述のように、簡単に用紙押さえ枠体２０６を第２用紙排出枠体２０２から大きく離間させることができるので、第３用紙案内部材２１２等に詰まった用紙１０３ｃを容易に除去することができるだけでなく、用紙１０３を図１０の紙面に対して垂直の方向から用紙１０３を装填および取り出すことができるので、用紙１０３の装着および取り出しが容易である。
【図面の簡単な説明】
【図１】本発明に係る一実施例における発券装置の待機状態を示す主要正面図である。
【図２】図１における発券装置から用紙保持部を省略した状態を示す正面図である。
【図３】印字部が印字動作を開始して、プラテンが用紙を送り用紙の用紙前端部が用紙送りローラと用紙押さえローラに噛みこまれた状態を示す動作説明図である。
【図４】印字部が印字動作を続行して、プラテンが用紙を送り、用紙がたるんでいる状態を示す動作説明図である。
【図５】印字部が印字動作を終了して、用紙切断部が用紙を切断した状態を示す動作説明図である。
【図６】切断された用紙を用紙送りローラが用紙排出口から排出した状態を示す動作説明図である。
【図７】用紙送りローラが用紙排出口から排出した用紙が一定時間内に取り去られなかった場合に、その用紙を用紙送りローラが送り戻して回収する状態を示す動作説明図である。
【図８】用紙送りローラが用紙を送り戻して回収した状態を示す動作説明図である。
【図９】プラテンが用紙を送る際に、用紙が詰まった状態を示す動作説明図である。
【図１０】第３用紙案内部材２１２等に詰まった用紙を除去するために用紙押さえ枠体を開いた状態を示す動作説明図である。
【図１１】用紙押さえ枠体２０６を開いて用紙１０３を装填する状態を示す動作説明図である。
【図１２】従来例における用紙排出部７００が用紙６０３を貯めている状態を示す断面図である。
【図１３】用紙排出部７００に用紙６０３が貯まった状態を示す断面図である。
【図１４】用紙排出部７００が用紙６０３を排出する状態を示す断面図である。
【符号の説明】
１００  用紙保持部
１０１  用紙保持枠体
１０２  用紙保持軸
１０３  用紙
１０３ａ  用紙前端部
１０３ｂ  用紙後端部
１０３ｃ  用紙ジャミング部
２００  用紙排出部
２００ａ  用紙排出口
２０１  第１用紙排出枠体
２０１ａ  用紙押さえ枠体停止突起
２０２  第２用紙排出枠体
２０３  用紙送りローラ軸
２０４  用紙送りローラ
２０５  用紙押さえ枠体軸
２０６  用紙押さえ枠体
２０７  用紙押さえローラ
２０８  用紙検出部材
２０９  用紙押さえ枠体係合ピン
２１０  第１用紙案内部材
２１１  第２用紙案内部材
２１２  第３用紙案内部材
２１３  用紙押さえ枠体係止部材
２１４  用紙押さえ枠体開放部材
２１５  枠体係止部材ばね
２１６  用紙押さえ枠体ブレーキ部材
３００  印字部
３０１  プラテン
３０２  印字ヘッド
４００  用紙切断部
４０１  固定刃
４０２  可動刃
【図１】
2004264978.tif 000003
【図２】
2004264978.tif 000004
【図３】
2004264978.tif 000005
【図４】
2004264978.tif 000006
【図５】
2004264978.tif 000007
【図６】
2004264978.tif 000008
【図７】
2004264978.tif 000009
【図８】
2004264978.tif 000010
【図９】
2004264978.tif 000011
【図１０】
2004264978.tif 000012
【図１１】
2004264978.tif 000013
【図１２】
2004264978.tif 000014
【図１３】
2004264978.tif 000015
【図１４】
2004264978.tif 000016